(57)【要約】【課題】  火災警報器が有している要素（部品、加工など）から有害物質が出ないようにすることにより、例え小物の電気製品（部品）と同様に不適切な廃棄が行われても、有害物質による地球の環境破壊を起こすということがないし、また回収した場合には要素（部品、加工など）として有害物質の出るものがないので廃棄や再生時に有害物質対策用の特別な費用が掛からず有害物質の出ないものとして廃棄や再生が行える住宅用火災警報器を得る。【解決手段】  プリント基板４及びこれに搭載される電子部品５，警報ブザー６などの各接続部は全て鉛フリー半田により行い、警報器取付板３などの金具類は全てクロムフリー鋼板を用いかつ各鋼板の防錆処理としてはＮｉ−Ｃｒメッキ以外の，例えばＮｉ−Ｓｎメッキや亜鉛メッキなどのメッキ処理により行い、配線コードはハロゲンフリー電線を用いてなる。【選択図】    図３
2007047896.tif 000002
【特許請求の範囲】
【請求項１】
火災を検知して警報を出力する住宅用火災警報器であって、熱検知部及び／又は煙検知部からなる火災検知部と、この火災検知部からの信号を出力する火災検知回路と、この火災検知回路からの信号を受けて警報を出力する警報回路とを備えたものにおいて、
前記プリント基板及びこれに搭載される電子部品類の各接続部は全て鉛フリー半田により行い、前記警報器取付板などの金具類は全てクロムフリー鋼板を用いかつ各鋼板の防錆処理としてはＮｉ−Ｃｒメッキ以外の，例えばＮｉ−Ｓｎメッキや亜鉛メッキなどのメッキ処理により行い、前記配線コードはハロゲンフリー電線を用いることを特徴とする住宅用火災警報器。
【請求項２】
電池式のものにおいては、ニッケル水素蓄電池やリチウムイオン二次電池などの有害物質を含まない電池を用いることを特徴とする請求項１記載の住宅用火災警報器。
【発明の詳細な説明】
【技術分野】
【０００１】
本発明は、火災を検知して警報を出力する住宅用火災警報器に関するものである。
【背景技術】
【０００２】
火災警報器の基本的な構造を示すものとして、例えば特許文献１のものがある。これは火災による熱や煙などを感知する埋込型感知器ヘッドを、有底円筒状の感知器ベースに電気的及び機械的に接続固定するタイプの火災警報器で、結線作業を容易にして施工性の向上を図った発明である。
【０００３】
かかる火災警報器では、プリント基板及びこれに搭載される電子部品類の各接続部は一般的な半田により行われ、警報器取付板（端子類）にはクロムメッキ鋼板が用いられ、配線コードには一般的な塩化ビニル電線が用いられ、電池には二次電池として鉛蓄電池やニカド電池が使われる可能性がある。
【０００４】
住宅用火災警報器では、業務用（産業用）の火災警報器とは異なり回収して廃棄や再生するというルートが確立していないので、殆どの場合その所有者である一般消費者（特に個人）が小物の電気製品（部品）と同様に不適切な廃棄を行っているのが、現状である。
【特許文献１】特許第３２２１１６５号公報
【発明の開示】
【発明が解決しようとする課題】
【０００５】
解決しようとする問題は、前記したように住宅用のものでは業務用（産業用）のものとは異なり不適切な廃棄が行われることにより、火災警報器が有している要素（一般的な半田・クロムメッキ鋼板・塩化ビニル電線など）から出る有害物質が地球の環境破壊を起こしているという点である。
【課題を解決するための手段】
【０００６】
本発明は、プリント基板及びこれに搭載される電子部品類の各接続部は全て鉛フリー半田により行い、警報器取付板などの金具類は全てクロムフリー鋼板を用いかつ各鋼板の防錆処理としてはＮｉ−Ｃｒメッキ以外の，例えばＮｉ−Ｓｎメッキや亜鉛メッキなどのメッキ処理により行い、配線コードはハロゲンフリー電線を用いることを特徴とする。
【発明の効果】
【０００７】
本発明は、火災警報器が有している要素（部品、加工など）から有害物質が出ないようにすることにより、例え小物の電気製品（部品）と同様に不適切な廃棄が行われても、有害物質による地球の環境破壊を起こすということがないし、また回収した場合には要素（部品、加工など）として有害物質の出るものがないので廃棄や再生時に有害物質対策用の特別な費用が掛からず有害物質の出ないものとして廃棄や再生が行えるという効果がある。
【発明を実施するための最良の形態】
【０００８】
プリント基板及びこれに搭載される電子部品類の各接続部は全て鉛フリー半田により行い、警報器取付板などの金具類は全てクロムフリー鋼板を用いかつ各鋼板の防錆処理としてはＮｉ−Ｃｒメッキ以外の，例えばＮｉ−Ｓｎメッキや亜鉛メッキなどのメッキ処理により行い、配線コードはハロゲンフリー電線を用いることにより、実現した。
【実施例１】
【０００９】
本発明の住宅用火災警報器の一実施例を図１〜図３について説明する。図１は外観を示す側面図、図２は外蓋を外して図１を下からみた図、図３は内部構造を概略的に示す縦断側面図である。
【００１０】
図において、１は警報器本体、２は警報器本体１の正面側に着脱自在に装着した外蓋、３は警報器本体１の背面側に装着されかつＮｉ−Ｓｎメッキ処理をしたクロムフリー鋼板からなる取付板、４はプリント基板、５はプリント基板４に錫６０％，金４０％の鉛フリー半田により接続された電子部品、６はプリント基板４に錫６０％，金４０％の鉛フリー半田により接続された警報ブザー、７はフッ素ゴムを被覆材としたハロゲンフリー電線からなるＡＣ１００Ｖの電源コードである。なお、その他の構成については、一般的（周知）であるので説明を省略する。
【００１１】
このように取付板３にＮｉ−Ｓｎメッキ処理をしたクロムフリー鋼板を用い、電子部品５及び警報ブザー６のプリント基板４への接続を錫６０％，金４０％の鉛フリー半田により行い、電源コード７にフッ素ゴムを被覆材としたハロゲンフリー電線を用いることにより、構成部品として有害物質の出ないものとなるので、例え小物の電気製品（部品）と同様に不適切な廃棄が行われても、有害物質による地球の環境破壊を起こすということがないし、また回収された場合でも廃棄や再生時に有害物質対策用の特別な費用が掛からず有害物質の出ないものとして廃棄や再生が行える。
【００１２】
なお、上記実施例において、鉛フリー半田はＳｎを主成分としてＡｕ，Ａｇ，Ｃｕ，Ｚｎ，Ｓｂ，Ｂｉの中から一種以上を含むものとし、またフッ素ゴム被覆材はシリコーンゴムの被覆材でも良い。
かかる住宅用火災警報器としては、熱を感知するもの，煙を感知するもの，その両方を感知するものであることは勿論である。
【実施例２】
【００１３】
住宅用火災警報器の電池式のものにおいては、ニッケル水素蓄電池やリチウムイオン二次電池などの有害物質を含まない電池を用いる。有害物質を含む鉛蓄電池やニカド電池は用いない。
【００１４】
このようにニッケル水素蓄電池やリチウムイオン二次電池を用いると、前記実施例１との相乗効果として電池式のものにおいても、有害物質による地球の環境破壊を起こすということがないし、また回収された場合でも廃棄や再生時に有害物質対策用の特別な費用が掛からず有害物質の出ないものとして廃棄や再生が行えるという効果が得られる。
【産業上の利用可能性】
【００１５】
本発明は、火災を検知して警報を出力する住宅用火災警報器に広く活用できる。
【図面の簡単な説明】
【００１６】
【図１】本発明の実施例１を示す外観側面図ある。
【図２】外蓋を外して図１を下からみた図ある。
【図３】内部構造を概略的に示す縦断側面図である。
【符号の説明】
【００１７】
１：警報器本体
２：外蓋
３：取付板
４：プリント基板
５：電子部品
６：警報ブザー
７：電源コード
【図１】
2007047896.tif 000003
【図２】
2007047896.tif 000004
【図３】
2007047896.tif 000005